(57)【要約】【課題】あるＸ線ＣＴ装置で作成されたスキャンプランを別のＸ線ＣＴ装置で使用することを可能とすること。【解決手段】スキャンプラン管理装置１００のスキャンプラン管理部１２０がＸ線ＣＴ装置から送信されるスキャンプランを患者ごとにスキャンプラン管理ＤＢ１３０を用いて管理する。そして、スキャンプラン出力部１５０が別のＸ線ＣＴ装置からスキャンプランの送信要求を受信すると、スキャンプラン管理部１２０が要求されたスキャンプランをスキャンプラン管理ＤＢ１３０から読み出す。そして、スキャンプラン変換部１４０がスキャンプラン管理部１２０によって読み出されたスキャンプランを変換テーブル１４１を用いてスキャンプラン要求元に適したスキャンプランに変換する。そして、スキャンプラン出力部１５０がスキャンプラン変換部１４０によって変換されたスキャンプランをスキャンプラン要求元に送信する。【選択図】        図２
2008183017.tif 000002
【特許請求の範囲】
【請求項１】
撮影プランを記憶する撮影プラン記憶手段と、
撮影プラン出力要求を受け付け、該受け付けた撮影プラン出力要求で要求された撮影プランを前記撮影プラン記憶手段から読み出して外部出力する撮影プラン外部出力手段と
を備えたことを特徴とする撮影プラン管理装置。
【請求項２】
前記撮影プラン外部出力手段は、撮影プランに基づいて撮影を行う撮影装置からネットワークを介して撮影プラン出力要求を受け付け、該受け付けた撮影プラン出力要求で要求された撮影プランを前記撮影プラン記憶手段から読み出して該撮影装置に送信することを特徴とする請求項１に記載の撮影プラン管理装置。
【請求項３】
撮影プランに基づいて撮影を行う撮影装置からネットワークを介して撮影プラン格納要求を受け付け、該受け付けた撮影プラン格納要求で格納を要求された撮影プランを前記撮影プラン記憶手段に格納する撮影プラン格納手段をさらに備えたことを特徴とする請求項２に記載の撮影プラン管理装置。
【請求項４】
前記撮影プラン外部出力手段は、前記撮影プラン記憶手段から読み出した撮影プランを撮影プランの出力を要求した撮影装置に適した撮影プランに変換して送信することを特徴とする請求項２または３に記載の撮影プラン管理装置。
【請求項５】
前記撮影プラン外部出力手段は、撮影プランを構成するパラメータの値を変換し、該パラメータには、管電流、管電圧、ＦＯＶ、スキャン速度、撮影スライス厚、スキャンの範囲が含まれることを特徴とする請求項４に記載の撮影プラン管理装置。
【請求項６】
前記撮影プラン外部出力手段は、前記撮影プラン記憶手段から読み出した撮影プランのパラメータの中に、撮影プランの出力を要求した撮影装置に適したパラメータに変換できないパラメータがある場合に、変換できないパラメータがあることを警告する警告情報を撮影プランとともに該撮影装置に送信することを特徴とする請求項４または５に記載の撮影プラン管理装置。
【請求項７】
被検体にＸ線を照射するとともに該被検体を透過したＸ線を検出して画像データを生成し、生成した画像データを所定の表示部に表示するＸ線ＣＴ装置であって、
被検体を撮影する撮影プランを記憶する撮影プラン記憶手段と、
撮影プラン出力要求を受け付け、該受け付けた撮影プラン出力要求で要求された撮影プランを前記撮影プラン記憶手段から読み出して外部出力する撮影プラン外部出力手段と
を備えたことを特徴とするＸ線ＣＴ装置。
【請求項８】
撮影プランを撮影プランデータベースに格納する撮影プラン格納ステップと、
撮影プラン出力要求を受け付け、該受け付けた撮影プラン出力要求で要求された撮影プランを前記撮影プランデータベースから読み出して外部出力する撮影プラン外部出力ステップと
を含んだことを特徴とする撮影プラン管理方法。
【発明の詳細な説明】
【技術分野】
【０００１】
この発明は、撮影プランを管理する技術に関するものである。
【背景技術】
【０００２】
Ｘ線ＣＴ装置、Ｘ線診断装置、磁気共鳴映像装置（ＭＲＩ装置）、ＳＰＥＣＴ装置などの医療撮影装置では、撮影に先立って撮影プランを作成し、装置に設定する必要がある。例えば、Ｘ線ＣＴ装置において被検体の肺野部から腹部にかけてのスキャンを行う場合、肺野部は少ないＸ線量のスキャンで十分であり、これに対して腹部は多いＸ線量でのスキャンを必要とするため、前半のスキャンは少ないＸ線量で、後半のスキャンは多いＸ線量でスキャンを行うようなスキャンプランを設定する。
【０００３】
図７は、被検体の肺野部から腹部にかけてのスキャンを行う場合に設定されるスキャンプランの一部を示している。この図７の例では、スキャンは「Ｓ＆Ｖスキャン→Ｓ＆Ｓスキャン→ヘリカルスキャン」の順に実行されるように設定されている。ここで、「Ｓ＆Ｖスキャン」の場合は、管電圧が１００ｋＶ、管電流が２００ｍＡ、スライス厚が５ｍｍ、焦点サイズがＬサイズに設定され、この条件で例えば肺野部の途中までスキャンが行われる。次に「Ｓ＆Ｓスキャン」の場合は、管電圧が１２０ｋＶ、管電流が３００ｍＡ、スライス厚が３ｍｍ、焦点サイズがＬサイズに設定されており、この条件で肺野部の下端までスキャンが行われる。最後に、「ヘリカルスキャン」の場合は、管電圧が１３５ｋＶ、管電流が５００ｍＡ、スライス厚が１ｍｍ、焦点サイズがＳサイズに設定され、腹部をカバーするものである。
【０００４】
ところで、「Ｓ＆Ｖスキャン」とは、スキャンを行い、このスキャンによる画像が再構成され表示された後に、再度スキャンを行う等のようにスキャンと画像再構成表示を交互に行うスキャン方法であり、例えばスキャン位置の確認や造影剤が所望の部位に行き渡ったか否かを確認する場合に用いられる。また、「Ｓ＆Ｓスキャン」とは、スキャンを連続的に行い、各スキャンに追従するかたちで画像を再構成して表示するスキャン優先のスキャン方法である。また、「ヘリカルスキャン」は、Ｘ線管および検出器からなる撮影系を連続回転させている最中に、被検体の載置された寝台を所定ピッチで連続移動させることで、被検体を螺旋状にスキャンし、連続的な断層像を得るスキャン方法である。
【０００５】
このようなスキャンプランは、スキャンが開始されると一纏まりのデータとして架台制御系に全て転送される。架台制御系は、このスキャンプランに基づいて架台回転部を制御することで、例えば肺野部から腹部にかけてのスキャンが実行される（特許文献１参照。）。
【０００６】
【特許文献１】特開２０００−１１６６３４号公報
【発明の開示】
【発明が解決しようとする課題】
【０００７】
スキャンプランは、設定される医療撮影装置ごとに作成、編集、保存が行われるため、ある医療撮影装置で一部の撮影を行った後に別の医療撮影装置で撮影を行う必要が生じた場合には、再度スキャンプランを作成しなければならないという問題がある。ここで、別の医療撮影装置で撮影する必要が生じる場合とは、例えば、撮影の途中（や撮影プランニングの最中）などに、他のＸ線ＣＴ装置（最新版の装置等）の方が撮影に適していると分かった場合である。また、別の例としては、スキャンプランを終えて撮影に入ろうとした際、或いは撮影に入ってから、そのＸ線ＣＴ装置に何らかの異常が生じスキャンの続行ができなかった場合である。
【０００８】
この発明は、上述した従来技術による問題点を解消するためになされたものであり、ある医療撮影装置で作成されたスキャンプランを別の医療撮影装置で使用することを可能とし、スキャンプラン作成の労力を低減させることができる撮影プラン管理装置、撮影プラン管理方法およびＸ線ＣＴ装置を提供することを目的とする。
【課題を解決するための手段】
【０００９】
上述した課題を解決し、目的を達成するため、請求項１記載の本発明は、撮影プランを記憶する撮影プラン記憶手段と、撮影プラン出力要求を受け付け、該受け付けた撮影プラン出力要求で要求された撮影プランを前記撮影プラン記憶手段から読み出して外部出力する撮影プラン外部出力手段とを備えたことを特徴とする撮影プラン管理装置である。
【００１０】
また、請求項７記載の本発明は、被検体にＸ線を照射するとともに該被検体を透過したＸ線を検出して画像データを生成し、生成した画像データを所定の表示部に表示するＸ線ＣＴ装置であって、被検体を撮影する撮影プランを記憶する撮影プラン記憶手段と、撮影プラン出力要求を受け付け、該受け付けた撮影プラン出力要求で要求された撮影プランを前記撮影プラン記憶手段から読み出して外部出力する撮影プラン外部出力手段とを備えたことを特徴とする。
【００１１】
また、請求項８記載の本発明は、撮影プランを撮影プランデータベースに格納する撮影プラン格納ステップと、撮影プラン出力要求を受け付け、該受け付けた撮影プラン出力要求で要求された撮影プランを前記撮影プランデータベースから読み出して外部出力する撮影プラン外部出力ステップとを含んだことを特徴とする撮影プラン管理方法である。
【発明の効果】
【００１２】
請求項１、７または８記載の本発明によれば、外部出力された撮影プランを再利用することができるので、撮影プランの作成負担を軽減することができる。
【発明を実施するための最良の形態】
【００１３】
以下に添付図面を参照して、この発明に係る撮影プラン管理装置、撮影プラン管理方法およびＸ線ＣＴ装置の好適な実施例を詳細に説明する。
【実施例】
【００１４】
まず、本実施例に係るスキャンプラン管理装置の概念について説明する。図１は、本実施例に係るスキャンプラン管理装置の概念を説明するための説明図である。同図に示すように、このスキャンプラン管理装置１００は、患者ごとにスキャンプランをスキャンプラン管理ＤＢ（データベース）を用いて管理する。
【００１５】
例えば、患者Ａについては、Ｘ線ＣＴ装置である装置Ａのスキャンプランとして、管電流が１２０ｍＡであり、管電圧が１２０ｋＶであり、スキャンモードはヘリカルであり、スキャンは最後まで実施された、といった情報が管理される。なお、装置Ａのスキャンプランは装置Ａで作成され、ネットワークを介してスキャンプラン管理装置１００に送信される。
【００１６】
装置Ａで患者Ｂに対するスキャン開始後に前述した場合のようになんらかの原因で装置Ｂでの撮影が必要になると、装置Ａは、スキャンが途中で終了したことをスキャンプラン管理装置１００に通知する。すると、スキャンプラン管理装置１００は、スキャンが途中までしか行われなかったことをスキャンプランの一部として記憶する。
【００１７】
一方、装置Ｂは、スキャンプラン管理装置１００に対して患者Ｂのスキャンプランをネットワークを介して要求する。すると、スキャンプラン管理装置１００は、装置Ａで作成された患者Ｂのスキャンプランを変換テーブルを用いて装置Ｂに適したスキャンプランに変換して装置Ｂに送信する。
【００１８】
例えば、装置ＡのバージョンがＶ１．００であり、装置ＢのバージョンがＶ２．００であるとすると、スキャンプラン管理装置１００は、変換テーブルのＶ１．００とＶ２．００との変換規則（Ｖ１．００⇔Ｖ２．００）を参照してＶ１．００用のスキャンパラメータをＶ２．００用に変換し、変換後のスキャンプランを装置Ｂに送信する。
【００１９】
この例では、スキャンプラン管理装置１００は、装置のバージョンによって撮影スライス厚の上限値やｍＡ（管電流）が異なるため、装置Ａの撮影スライス厚の上限値「１５ｍｍ」を装置Ｂ用に「１６ｍｍ」に変換し、装置ＡのｍＡ「１２０ｍＡ」を装置Ｂ用に「１００ｍＡ」に変換して、スキャンプランを装置Ｂに送信する。
【００２０】
そして、装置Ｂにおいてスキャンプランの確認や修正等が行われると、装置Ｂはスキャンプラン管理装置１００にスキャンプランを送信する。すると、スキャンプラン管理装置１００はスキャンプランを受信して患者Ｂに対する装置Ｂのスキャンプランとしてスキャンプラン管理ＤＢに格納する。その後、装置Ｂでのスキャンが完了すると、装置Ｂはスキャンの完了をスキャンプラン管理装置１００に通知する。すると、スキャンプラン管理装置１００は、装置Ｂでスキャンが最後まで実行されたことをスキャンプランの一部として記憶する。
【００２１】
このように、本実施例では、スキャンプラン管理装置１００が各Ｘ線ＣＴ装置で作成されたスキャンプランを患者ごとに管理するとともに、Ｘ線ＣＴ装置からスキャンプランの送信要求を受け付けると、そのＸ線ＣＴ装置で作成されたスキャンプランがない場合には、別のＸ線ＣＴ装置で作成されたスキャンプランをスキャンプラン要求元（スキャンプランの送信を要求したＸ線ＣＴ装置）に適したスキャンプランに変換して送信することによって、スキャンプランを各装置で繰り返し作成する必要をなくし、スキャンプラン作成の負担を軽減することができる。
【００２２】
次に、本実施例に係るスキャンプラン管理装置１００の構成について説明する。図２は、本実施例に係るスキャンプラン管理装置１００の構成を示す機能ブロック図である。同図に示すように、このスキャンプラン管理装置１００は、スキャンプラン入力部１１０と、スキャンプラン管理部１２０と、スキャンプラン管理ＤＢ１３０と、スキャンプラン変換部１４０と、スキャンプラン出力部１５０とを有する。
【００２３】
スキャンプラン入力部１１０は、各Ｘ線ＣＴ装置からネットワークを介して送られてくるスキャンプランを患者情報とともに受信する処理部であり、受信したスキャンプランおよび患者情報をスキャンプラン管理部１２０に渡す。ここで、患者情報には患者を識別するための情報である患者識別情報が含まれる。
【００２４】
スキャンプラン管理部１２０は、スキャンプラン管理ＤＢ１３０を用いて患者ごとにスキャンプランを管理する処理部であり、スキャンプラン入力部１１０から受け取ったスキャンプランを患者識別情報と対応付けてスキャンプラン管理ＤＢ１３０に格納するとともに、スキャンプラン出力部１５０から患者識別情報を指定したスキャンプラン要求を受け取ると、スキャンプラン管理ＤＢ１３０を患者識別情報を用いて検索し、検索したスキャンプランをスキャンプラン変換部１４０に渡す。
【００２５】
スキャンプラン管理ＤＢ１３０は、スキャンプランを患者ごとに記憶するデータベースである。図３は、スキャンプラン管理ＤＢ１３０が記憶するスキャンプランを構成するスキャンパラメータの例を示す図である。
【００２６】
同図に示すように、スキャンパラメータとしては、スキャンの順番（Ｎｏ）１、スキャンの開始時間２および次のスキャンまでの休止時間３、スキャンの開始位置４および終了位置５、スキャンモード６、スキャン数７、管電圧８、管電流９、ＦＯＶ１０、スキャン速度１１、撮影スライス厚１２、スキャンの範囲１３、スキャンの詳細を指定するスキャン詳細１４、再構成の詳細を指定する再構成詳細１５などがある。
【００２７】
スキャンプラン変換部１４０は、変換テーブル１４１を用いてスキャンプランをスキャンプラン要求元用に変換する処理部であり、変換テーブル１４１は、図１に例を示したように、Ｘ線ＣＴ装置間でのスキャンプランの変換規則を記憶したテーブルである。このスキャンプラン変換部１４０が変換テーブル１４１を用いてスキャンプランをスキャンプラン要求元用に変換することによって、スキャンプランを修正する負担を軽減することができる。
【００２８】
スキャンプラン出力部１５０は、スキャンプラン要求元からのスキャンプラン送信要求を受け付けてスキャンプラン管理部１２０に渡すとともに、スキャンプラン変換部１４０でスキャンプラン要求元用に変換されたスキャンプランをスキャンプラン要求元に送信する処理部である。
【００２９】
次に、あるＸ線ＣＴ装置での撮影中に別のＸ線ＣＴ装置での撮影が必要になった場合を例として、本実施例に係るスキャンプラン管理装置１００が行う処理の処理手順について説明する。図４は、あるＸ線ＣＴ装置での撮影中に別のＸ線ＣＴ装置での撮影が必要になった場合に本実施例に係るスキャンプラン管理装置１００が行う処理の処理手順を示すフローチャートである。
【００３０】
同図に示すように、このスキャンプラン管理装置１００は、スキャンプラン入力部１１０が、Ｘ線ＣＴ装置からスキャンプランを患者情報とともに受信し（ステップＳ１）、スキャンプラン管理部１２０に渡す。すると、スキャンプラン管理部１２０は、スキャンプランを受け取り、患者に対応させてスキャンプランをスキャンプラン管理ＤＢ１３０に格納する（ステップＳ２）。
【００３１】
その後、スキャンプラン出力部１５０が、別のＸ線ＣＴ装置からスキャンプランの送信要求を受信し（ステップＳ３）、スキャンプラン管理部１２０に渡す。すると、スキャンプラン管理部１２０は、スキャンプラン管理ＤＢ１３０を検索し、スキャンプラン要求元が要求するスキャンプランをスキャンプラン管理ＤＢ１３０から読み出して（ステップＳ４）、スキャンプラン変換部１４０に渡す。
【００３２】
すると、スキャンプラン変換部１４０は、スキャンプランを受け取り、変換テーブル１４１を用いてスキャンプラン要求元に適したスキャンプランに変換し（ステップＳ５）、変換したスキャンプランをスキャンプラン出力部１５０に渡す。そして、スキャンプラン出力部１５０が、スキャンプラン要求元へスキャンプランを送信する（ステップＳ６）。
【００３３】
その後、スキャンプラン要求元でスキャンプランの確認や修正などが行われ、スキャンプラン要求元が修正したスキャンプランを患者情報とともに送信すると、スキャンプラン入力部１１０が、スキャンプランを受信し（ステップＳ７）、スキャンプラン管理部１２０に渡す。そして、スキャンプラン管理部１２０が、患者に対応させてスキャンプランをスキャンプラン管理ＤＢ１３０に格納する（ステップＳ８）。
【００３４】
上述してきたように、本実施例では、スキャンプラン管理装置１００のスキャンプラン管理部１２０がＸ線ＣＴ装置から送信されるスキャンプランを患者ごとにスキャンプラン管理ＤＢ１３０を用いて管理する。そして、スキャンプラン出力部１５０が別のＸ線ＣＴ装置からスキャンプランの送信要求を受信すると、スキャンプラン管理部１２０が要求されたスキャンプランをスキャンプラン管理ＤＢ１３０から読み出す。そして、スキャンプラン変換部１４０がスキャンプラン管理部１２０によって読み出されたスキャンプランを変換テーブル１４１を用いてスキャンプラン要求元に適したスキャンプランに変換する。そして、スキャンプラン出力部１５０がスキャンプラン変換部１４０によって変換されたスキャンプランをスキャンプラン要求元に送信する。したがって、同じ患者に対してＸ線ＣＴ装置ごとにスキャンプランを最初から作成する必要をなくすことができ、スキャンプランを作成する負担を軽減することができる。
【００３５】
なお、上記実施例では、あるＸ線ＣＴ装置で撮影中に別のＸ線ＣＴ装置で撮影する必要が生じた場合に、別のＸ線ＣＴ装置で再度スキャンプランを作成する必要をなくす場合について説明した。しかし、スキャンプラン管理装置１００がスキャンプラン管理ＤＢ１３０を用いて患者ごとにスキャンプランを管理することによって、定期検査などで定期的に撮影を行う場合に、以前の検査で作成したスキャンプランを再利用することもできる。
【００３６】
図５は、定期検査などで繰り返し撮影を行う場合のスキャンプランの再利用を説明するための説明図である。同図（ａ）は、初回の検査実施時のスキャンプランのスキャンプラン管理ＤＢ１３０への保存を示し、同図（ｂ）は、２回目以降のスキャンプランの再利用を示す。同図（ｂ）に示すように、２回目以降の定期検査でスキャンプラン管理ＤＢ１３０が記憶するスキャンプランを編集して利用することによって、スキャンプランを毎回新たに作成する負担を軽減することができる。また、編集なしでスキャンプランを再利用することによって以前の検査を正確に再現することもできる。
【００３７】
また、画像管理ＤＢ１６０が患者ごとに記憶する画像データとスキャプラン管理ＤＢ１３０が患者ごとに記憶するスキャンプランを対応させて管理するようにすれば、スキャンプラン管理装置から各Ｘ線ＣＴ装置に画像データをスキャンプランとともに送信することによって、編集前のスキャンプランで撮影された画像を参照しながらスキャンプランを編集することができる。したがって、以前のスキャンプランでの問題点を解決するような、より適切なスキャンプランの作成を支援することができる。
【００３８】
また、スキャンプラン変換部１４０が変換テーブル１４１を用いてスキャンプラン要求元に適したスキャンプランに変換する場合に、変換できないスキャンパラメータがあるときがある。そのようなときは、スキャンプラン変換部１４０は、変換できないスキャンパラメータに関する情報を付加することによって、スキャンプランを受け取ったＸ線ＣＴ装置が、変換できなかったスキャンパラメータについて警告を表示するようにすることもできる。
【００３９】
図６は、変換できなかったスキャンパラメータについてＸ線ＣＴ装置が警告を表示する画面の一例を示す図である。同図に示すように、この例では、変換できなかったスキャンパラメータがあることを「警告：変換できないパラメータがあります。確認してください。」というメッセージで警告する。また、変換できなかったスキャンパラメータの値１６を赤色など別の色を用いて表示することによって、編集が必要である箇所をわかり易く表示することができる。この例では、新しいバージョンの装置での管電圧（ｋＶ）の値「１２０」が旧いバージョンの装置では高すぎて設定できないために変換できないパラメータとして表示されている。
【００４０】
また、本実施例では、スキャンを最後まで実施したか途中までで中断したなどのスキャン実施状況をスキャンプランの一部としてスキャンプラン管理ＤＢ１３０で管理する場合について説明したが、さらに、スキャンを中断した場合にその理由をスキャンプランの一部として管理することもできる。スキャンを中断した理由を管理することによって、別のＸ線ＣＴ装置あるいは別の定期検診でスキャンプランを編集する場合に、中断理由を反映させたより適切なスキャンプランを作成できるようにすることもできる。
【００４１】
また、本実施例では、スキャンプラン管理装置１００と各Ｘ線ＣＴ装置がネットワークを介して接続される場合について説明したが、本発明はこれに限定されるものではなく、スキャンプラン管理装置１００と各Ｘ線ＣＴ装置がＣＤなどの記憶メディアを介してスキャンプランを授受する場合にも同様に適用することができる。
【００４２】
また、本実施例では、Ｘ線ＣＴ装置とは別にスキャンプラン管理装置１００を用いてスキャンプランを管理する場合について説明したが、本発明はこれに限定されるものではなく、Ｘ線ＣＴ装置がスキャンプラン管理ＤＢを備え、患者ごとにスキャンプランを管理するとともに、他のＸ線ＣＴ装置とスキャンプランを授受する場合にも同様に適用することができる。
【００４３】
また、本実施例では、Ｘ線ＣＴ装置について説明したが、本発明はこれに限定されるものではなく、Ｘ線診断装置、磁気共鳴装置、ＳＰＥＣＴ装置などスキャンプランを作成する必要がある他の医療撮影装置にも同様に適用することができる。
【産業上の利用可能性】
【００４４】
以上のように、本発明に係る撮影プラン管理装置、撮影プラン管理方法およびＸ線ＣＴ装置は、撮影プランの作成に有用であり、特に、複雑な撮影プランを作成する必要がある場合に適している。
【図面の簡単な説明】
【００４５】
【図１】本実施例に係るスキャンプラン管理装置の概念を説明するための説明図である。
【図２】本実施例に係るスキャンプラン管理装置の構成を示す機能ブロック図である。
【図３】スキャンプランを構成するスキャンパラメータの例を示す図である。
【図４】あるＸ線ＣＴ装置での撮影中に別のＸ線ＣＴ装置での撮影が必要になった場合に本実施例に係るスキャンプラン管理装置が行う処理の処理手順を示すフローチャートである。
【図５】スキャンプランの再利用を説明するための説明図である。
【図６】変換できなかったスキャンパラメータについてＸ線ＣＴ装置が警告を表示する画面の一例を示す図である。
【図７】スキャンプランの一部を示す図である。
【符号の説明】
【００４６】
１    スキャンの順番（Ｎo）
２    開始時間
３    休止時間
４    開始位置
５    終了位置
６    スキャンモード
７    スキャン数
８    ｋＶ
９    ｍＡ
１０    ＦＯＶ
１１    スキャン速度
１２    撮影スライス厚
１３    範囲
１４    スキャン詳細
１５    再構成詳細
１６    変換できなかったスキャンパラメータ値
１００    スキャンプラン管理装置
１１０    スキャンプラン入力部
１２０    スキャンプラン管理部
１３０    スキャンプラン管理ＤＢ
１４０    スキャンプラン変換部
１４１    変換テーブル
１５０    スキャンプラン出力部
１６０    画像管理ＤＢ
【図１】
2008183017.tif 000003
【図２】
2008183017.tif 000004
【図３】
2008183017.tif 000005
【図４】
2008183017.tif 000006
【図５】
2008183017.tif 000007
【図６】
2008183017.tif 000008
【図７】
2008183017.tif 000009